(57)【要約】【課題】本発明は、レンズ交換可能な撮像装置のレンズ鏡筒の表示において、カメラの許容錯乱円に応じた適切な被写界深度の表示を行い、使用者の利便性を向上させるレンズ鏡筒を提供する。【解決手段】検出されたフォーカスレンズの位置を用いて撮影光学系の被写体距離を算出し、撮像装置本体の許容錯乱円情報と撮影光学系の光学情報とを用いて被写界深度を算出する。そして、算出された被写体距離と算出された被写界深度を合わせて表示する。【選択図】図３
2016045350.tif 000002
【特許請求の範囲】
【請求項１】
フォーカスレンズを含む撮影光学系を有し、撮像装置本体に対して交換可能に取り付けられるレンズ鏡筒において、
前記フォーカスレンズの位置を検出する検出手段と、
前記検出手段により検出されたフォーカスレンズの位置と前記撮影光学系の光学情報から被写体距離を算出する被写体距離算出手段と、
前記撮像装置本体から取得した許容錯乱円情報から被写界深度を算出する被写界深度算出手段と、
前記算出された被写体距離と前記算出された被写界深度を合わせて表示する表示手段とを備えることを特徴とするレンズ鏡筒。
【請求項２】
前記許容錯乱円情報は、前記撮像装置本体が有する撮像素子の画素ピッチに基づいて決定されることを特徴とする請求項１に記載のレンズ鏡筒。
【請求項３】
フォーカスレンズを含む撮影光学系を有し、撮像装置本体に対して交換可能に取り付けられるレンズ鏡筒において、
前記フォーカスレンズの位置を検出する検出手段と、
前記検出手段により検出されたフォーカスレンズの位置と前記撮影光学系の光学情報から被写体距離を算出する被写体距離算出手段と、
前記撮像装置本体が有する撮像素子のサイズと撮影時の設定に応じた記録画素数から算出される許容錯乱円情報から被写界深度を算出する被写界深度算出手段と、
前記算出された被写体距離と前記算出された被写界深度を合わせて表示する表示手段とを備えることを特徴とするレンズ鏡筒。
【請求項４】
前記撮像装置本体から記録画像のフォーマットと表示画像のフォーマットを取得する取得手段と、
前記記録画像のフォーマットに基づいて前記撮像装置本体が有する撮像素子のサイズと撮影時の設定に応じた記録画素数から算出される許容錯乱円情報と前記表示画像のフォーマットに基づいて前記撮像装置本体が有する撮像素子のサイズと撮影時の設定に応じた記録画素数から算出される許容錯乱円情報とを比較する許容錯乱円比較手段と、
前記許容錯乱円比較手段により許容錯乱円情報に差がある場合には前記表示手段に警告を行う警告手段とをさらに備えることを特徴とする請求項３記載のレンズ鏡筒。
【請求項５】
フォーカスレンズを含む撮影光学系を有するレンズ鏡筒が交換可能に取り付けられる撮像装置において、
前記フォーカスレンズの位置を検出する検出手段と、
前記検出手段により検出されたフォーカスレンズの位置と前記撮影光学系の光学情報から被写体距離を算出する被写体距離算出手段と、
前記撮像装置の許容錯乱円情報から被写界深度を算出する被写界深度算出手段と、
前記算出された被写体距離と前記算出された被写界深度を合わせて表示する表示手段とを備えることを特徴とする撮像装置。
【請求項６】
前記許容錯乱円情報は、前記撮像装置が有する撮像素子の画素ピッチに基づいて決定されていることを特徴とする請求項５に記載の撮像装置。
【請求項７】
フォーカスレンズを含む撮影光学系を有するレンズ鏡筒が交換可能に取り付けられる撮像装置において、
前記フォーカスレンズの位置を検出する検出手段と、
前記検出手段により検出されたフォーカスレンズの位置と前記撮影光学系の光学情報から被写体距離を算出する被写体距離算出手段と、
前記撮像装置が有する撮像素子のサイズと撮影時の設定に応じた記録画素数から算出される許容錯乱円情報から被写界深度を算出する被写界深度算出手段と、
前記算出された被写体距離と前記算出された被写界深度を合わせて表示する表示手段とを備えることを特徴とする撮像装置。
【請求項８】
前記撮像装置の記録画像のフォーマットと表示画像のフォーマットを取得する取得手段と、
前記記録画像のフォーマットに基づいて前記撮像装置が有する撮像素子のサイズと撮影時の設定に応じた記録画素数から算出される許容錯乱円情報と前記表示画像のフォーマットに基づいて前記撮像装置が有する撮像素子のサイズと撮影時の設定に応じた記録画素数から算出される許容錯乱円情報とを比較する許容錯乱円比較手段と、
前記許容錯乱円比較手段により許容錯乱円情報に差がある場合には前記表示手段に警告を行う警告手段とをさらに備えることを特徴とする請求項７記載の撮像装置。
【請求項９】
フォーカスレンズを含む撮影光学系を有し、撮像装置本体に対して交換可能に取り付けられるレンズ鏡筒の被写体距離情報の表示方法において、
前記フォーカスレンズの位置を検出する検出工程と、
前記検出工程により検出されたフォーカスレンズの位置と前記撮影光学系の光学情報から被写体距離を算出する被写体距離算出工程と、
前記撮像装置本体から取得した許容錯乱円情報から被写界深度を算出する被写界深度算出工程と、
前記算出された被写体距離と前記算出された被写界深度を合わせて表示する表示工程とを備えることを特徴とする被写体距離情報の表示方法。
【請求項１０】
フォーカスレンズを含む撮影光学系を有し、撮像装置本体に対して交換可能に取り付けられるレンズ鏡筒の被写体距離情報の表示方法において、
前記フォーカスレンズの位置を検出する検出工程と、
前記検出工程により検出されたフォーカスレンズの位置と前記撮影光学系の光学情報から被写体距離を算出する被写体距離算出工程と、
前記撮像装置本体が有する撮像素子のサイズと撮影時の設定に応じた記録画素数から算出される許容錯乱円情報から被写界深度を算出する被写界深度算出工程と、
前記算出された被写体距離と前記算出された被写界深度を合わせて表示する表示工程とを備えることを特徴とする被写体距離情報の表示方法。
【請求項１１】
請求項９または１０に記載の表示方法をレンズ鏡筒に実行させるためのコンピュータに読み取り可能なプログラム。
【発明の詳細な説明】
【技術分野】
【０００１】
本発明は、レンズ鏡筒および撮像装置、被写体距離の表示方法、並びにプログラムに関し、特に、レンズ交換式カメラのレンズ鏡筒における被写体距離の表示方法に関する。
【背景技術】
【０００２】
従来、レンズ交換式カメラのレンズ鏡筒の側面には、被写体距離を表示する表示部が設けられている。なお、被写体距離については、レンズにより予定結像面に対して共役となる面を物体面と定義し、予定結像面から物体面までの距離を被写体距離と定義する。レンズ鏡筒の表示部は、距離目盛などと呼称され、特に動画撮影において、手動でフォーカスを繰り出す（いわゆるマニュアルフォーカス操作）時にピントの位置を把握するために参照される。近年はレンズ鏡筒の表示部に、表示内容を変えられる液晶ディスプレイなどが用いられている。
【０００３】
レンズ交換式カメラにおいては、１つのレンズに対して様々なタイプのカメラボディが装着されることから、装着されたカメラボディの撮像素子サイズに対して適切な焦点距離の表示に切り替える技術が提案されている（例えば特許文献１参照）。
【先行技術文献】
【特許文献】
【０００４】
【特許文献１】特開２００２−１３９７８８号公報
【発明の概要】
【発明が解決しようとする課題】
【０００５】
レンズ鏡筒の表示部には、被写体距離の他に、被写界深度も表示されることが多い。この被写界深度はカメラボディ側の許容錯乱円に応じて変化する。しかしながら、特許文献１では、許容錯乱円を考慮していないため、正しい被写界深度を表示することができない。その結果、撮影者は正しい被写界深度を把握しながらの撮影を行うことが出来ない。
【０００６】
本発明は、上記問題に鑑みて成されたものであり、レンズ交換可能な撮像装置のレンズ鏡筒の表示方法において、カメラボディ側の許容錯乱円に応じた適切な被写界深度の表示を行い、使用者の利便性を向上させることを目的とする。
【課題を解決するための手段】
【０００７】
上記目的を達成するために、本発明のレンズ鏡筒は、フォーカスレンズを含む撮影光学系を有し、撮像装置本体に対して交換可能に取り付けられるレンズ鏡筒において、前記フォーカスレンズの位置を検出する検出手段と、前記検出手段により検出されたフォーカスレンズの位置と前記撮影光学系の光学情報から被写体距離を算出する被写体距離算出手段と、前記撮像装置本体から取得した許容錯乱円情報から被写界深度を算出する被写界深度算出手段と、前記算出された被写体距離と前記算出された被写界深度を合わせて表示する表示手段とを備えることを特徴とする。
【発明の効果】
【０００８】
本発明によれば、レンズ交換可能な撮像装置のレンズ鏡筒の表示方法において、カメラボディ側の許容錯乱円に応じた適切な被写界深度の表示を行い、使用者の利便性を向上させる。
【図面の簡単な説明】
【０００９】
【図１】（ａ）本発明の実施形態に係るレンズ鏡筒および撮像装置の概略構成を示すブロック図、（ｂ）図１（ａ）におけるレンズシステム制御部の機能に関する概略構成を示すブロック図である。
【図２】レンズ鏡筒の表示部に表示される被写体距離の一例を示す図である。
【図３】許容錯乱円の大きさが互いに異なる撮像装置本体のそれぞれにレンズ鏡筒を装着した場合に表示部に表示される被写体距離の違いを説明するための図である。
【図４】画素ピッチが異なる撮像素子の許容錯乱円の違いを説明するための図であり、（ａ）画素ピッチが小さい撮像素子の画素面の拡大図、（ｂ）画素ピッチが大きい撮像素子の画素面の拡大図である。
【図５】（ａ）撮像素子の画素ピッチが単純に異なる場合の被写界深度表示の切り替えを示す図、（ｂ）撮像素子の画素サイズは等しいが記録画像用の最小画素が異なる場合の被写界深度表示の切り替えを示す図である。
【図６】（ａ）撮像素子の画素サイズは等しいが記録画像用の画素の抜き出し方が異なる場合の被写界深度表示の切り替えを示す図、（ｂ）レンズ表示部に表示された警告の一例を示す図である。
【図７】レンズ鏡筒のレンズ表示部における被写界深度の表示制御を示すフローチャートである。
【図８】許容錯乱円と被写界深度の関係を示す光線図である。
【発明を実施するための形態】
【００１０】
以下、本発明の実施の形態を図面を参照して詳細に説明する。
【００１１】
本発明の実施形態に係る撮像装置は、図２に示すように、本発明の実施形態に係るレンズ鏡筒１００と撮像装置本体（カメラボディ）１２０とで構成されたレンズ交換式のデジタル一眼レフカメラである。
【００１２】
図１（ａ）は、本発明の実施形態に係るレンズ鏡筒および撮像装置本体の概略構成を示すブロック図である。
【００１３】
図１（ａ）において、レンズ鏡筒１００は、撮影光学系１０１、レンズ位置検出部１０３、レンズ駆動部１０４、レンズシステム制御部１０５、レンズ表示部１０６、およびレンズ操作部１０７を備える。
【００１４】
撮影光学系１０１は、フォーカスレンズ１０１ａを含むレンズ群で構成される。光軸１０２は、撮影光学系１０１に入射される光束の光軸を示す。
【００１５】
レンズ位置検出部１０３は、フォーカスレンズ１０１ａの位置の検出を行う。レンズ駆動部１０４は、撮影光学系１０１のフォーカスレンズ１０１ａを駆動する。レンズ駆動部１０４によりフォーカスレンズ１０１ａが光軸１０２方向へと駆動されることで、撮影光学系１０１のピント状態が変更される。
【００１６】
レンズ操作部１０７は、焦点距離等を設定するための操作部である。
【００１７】
図１（ｂ）は、図１（ａ）におけるレンズシステム制御部１０５の機能に関する概略構成を示すブロック図である。
【００１８】
図１（ｂ）において、レンズシステム制御部１０５は、被写体距離算出手段である被写体距離判定部１０５ａ、被写界深度算出手段である被写界深度判定部１０５ｂ、許容錯乱円比較部１０５ｃ、および表示制御部１０５ｄで構成される。
【００１９】
被写体距離判定部１０５ａは、撮影光学系１０１の光学情報とレンズ位置検出部１０３により検出されるフォーカスレンズ１０１ａの位置から被写体距離の算出を行う。被写体距離は、（式１）に示す一般的なガウス形式の結像式などから求めることができる。
【００２０】
【数１】
2016045350.tif 000003
【００２１】
（式１）において、ｆは焦点距離、Ｌは物体距離、Ｌ´は像距離である。この像距離Ｌ´は、レンズ位置検出部１０３により検出される。物体距離Ｌと像距離Ｌ´を加算したものが被写体距離となる。なお、被写体距離は、（式１）により算出する方法に限定されるものではない。例えば、被写体距離判定部１０５ａが（式１）を基にした数値参照テーブルを有し、入力値に応じて数値参照テーブルから被写体距離を読みだす構成でもよい。
【００２２】
被写界深度判定部１０５ｂは、被写体距離判定部１０５ａと同じく、撮影光学系１０１の光学情報を有しており、レンズの絞り値の状態と併せて被写界深度の算出を行う。被写界深度は、図８に示す光線図の関係にあり、（式２）により算出することができる。
【００２３】
【数２】
2016045350.tif 000004
【００２４】
（式２）において、Ｌｒは図８に示す後方被写界深度、Ｌｆは図８に示す前方被写界深度である。また、σは許容錯乱円径、Ｆ  Ｎｏ．は絞り値を示している。なお、被写界深度についても、（式２）により算出する方法に限定されるものではない。例えば、被写界深度判定部１０５ｂが（式２）を基にした数値参照テーブルを有し、入力値に応じて数値参照テーブルから被写界深度を読みだす構成でもよい。
【００２５】
許容錯乱円比較部１０５ｃは、後述する記録画像の許容錯乱円と表示画像の許容錯乱円の比較を行う。
【００２６】
表示制御部１０５ｄは、上述した方法で算出された被写体距離、被写界深度を所定の目盛によりレンズ表示部１０６に表示する。
【００２７】
図１（ａ）において、レンズ鏡筒１００は、カメラボディ１２０との間で電気接点１１０を介して信号のやりとりを行う。
【００２８】
カメラボディ１２０は、撮像素子１２１、画像処理部１２２、カメラシステム制御部１２３、測距部１２４、メモリ部１２５、カメラ表示部１２６、およびカメラ操作部１２７を備える。
【００２９】
撮像素子１２１は、被写体からの光を光電変換して画像処理部１２２に信号を出力する。画像処理部１２２は、撮像素子１２１からの信号を画像信号に変換する。
【００３０】
カメラシステム制御部１２３は、撮像装置全体の撮影動作や記録の制御を行う。測距部１２４は、被写体と撮像装置との距離を測距する。メモリ部１２５には、カメラボディ１２０のメインメモリと外部から装着される記憶媒体を含むメモリ部である。
【００３１】
カメラ表示部１２６は、撮影時における被写体のエイミングや、設定変更の確認、撮影画像のプレビュー確認を行うための表示部である。カメラ操作部１２７は、撮影動作や設定変更を行うための操作部である。
【００３２】
次に、レンズ鏡筒１００のレンズ表示部１０６に表示される被写体距離について図２を用いて説明をする。
【００３３】
図２において、レンズ表示部１０６に表示された目盛１４２が指し示す数値１４１（例えば「１．５」、「３．０」など）が撮像装置から被写体までの距離である。また、１４３ａは至近側の被写界深度境界であり、１４３ｂは無限側の被写界深度境界である。１４６が被写界深度幅であり、この間にいる被写体はピントが合っているとみなすことができる。
【００３４】
フォーカスレンズ１０１ａを駆動することで、レンズ鏡筒１００の被写体距離が変化し、この変化に応じて目盛状に示した距離の数値１４１のそれぞれがレンズ表示部１０６中で矢印１４４に示す方向に移動する。このような表示方式が一般的にとられている。
【００３５】
次に、レンズ鏡筒１００に対して、許容錯乱円の大きさが異なるカメラボディ１２０を装着した場合のレンズ表示部１０６の被写体距離情報の表示方法の切り替えについて図３を用いて説明する。
【００３６】
図３において、カメラボディ１２０−１，１２０−２はそれぞれ図１におけるカメラボディ１２０と同様の構成を有し、レンズ鏡筒１００を装着することで撮像装置を構成するが、許容錯乱円の大きさが互いに異なる。
【００３７】
ここで許容錯乱円について説明する。錯乱円とは、点光源からの光が結像面上で結ぶ円形の像のことであり、この錯乱円の大きさが人間の目で見て点と区別がつかないほどに小さければ、ピントが合っているとみなすことができる。このピントが合っているとみなすことができる限界の大きさの錯乱円を許容錯乱円と呼ぶ。
【００３８】
カメラボディ１２０−２の許容錯乱円１６４−２は、カメラボディ１２０−１の許容錯乱円１６４−１よりも許容錯乱円の径が大きく設定されている。
【００３９】
レンズ鏡筒１００がカメラボディ１２０−１に装着された場合、レンズ表示部１０６には表示画面１０６−１が表示される。一方、レンズ鏡筒１００がカメラボディ１２０−２に装着された場合、レンズ表示部１０６には表示画面１０６−２が表示される。
【００４０】
表示画面１０６−１，１０６−２には、レンズ鏡筒１００とカメラボディ１２０−１、レンズ鏡筒１００とカメラボディ１２０−２の組み合わせにおける被写界深度１４６−１，１４６−２が表示されている。図示例では、レンズ鏡筒が装着されるカメラボディの許容錯乱円に比例して、被写界深度１４６−１よりも被写界深度１４６−２の方が被写界深度が深く（幅広）表示されている。また、１４３ａ−１，１４３ａ−２は至近側の被写界深度境界であり、１４３ｂ−１，１４３ｂ−２は無限側の被写界深度境界である。
【００４１】
本実施形態における撮像装置では、レンズ鏡筒１００が有するレンズ表示部１０６の被写界深度の表示が、レンズ鏡筒１００が装着されるカメラボディ１２０の許容錯乱円の大きさに応じて切り替わる。これにより、撮像装置のユーザは、正しい被写界深度を把握しながら撮影することが可能になる。
【００４２】
表示画面１０６−１での被写界深度１４６−１に比べ、表示画面１０６−２での被写界深度１４６−２の方が、被写界深度が広く表示されている。これは、前述したとおり、許容錯乱円の大きさに基づいており、カメラボディ１２０−１よりカメラボディ１２０−２の方が許容錯乱円が大きいためである。
【００４３】
図４は、撮像素子の画素面を拡大した図であり、（ａ）はレンズ鏡筒１００とカメラボディ１２０−１を組み合わせた場合の撮像素子の画素ピッチと許容錯乱円を示す。一方、図４（ｂ）はレンズ鏡筒１００とカメラボディ１２０−２を組み合わせた場合の撮像素子の画素ピッチと許容錯乱円を示す。
【００４４】
図４（ａ）に示す１２１−１は、図３に示すカメラボディ１２０−１の撮像素子である。撮像素子１２１−１では、１６２が１つの画素であり、１６３−１は画素の間隔である画素ピッチである。また、１６４−１は、レンズ鏡筒１００とカメラボディ１２０−１を組み合わせた場合の許容錯乱円である。
【００４５】
図４（ｂ）に示す１２１−２は、図３に示すカメラボディ１２０−２の撮像素子である。撮像素子１２１−２では、１７２が１つの画素であり、１６３−２は画素ピッチである。また、１６４−２は、レンズ鏡筒１００とカメラボディ１２０−２を組み合わせた場合の許容錯乱円である。画素１６２と画素１７２とは、画素のサイズが異なる。
【００４６】
上述したように、デジタルカメラでは、表示装置上で引き伸ばして画像が鑑賞されることがあり、そのときの表示の最小単位は画像の画素である。そのため、点光源からの像が画素に比してほぼ点と判断できるほど小さければ、鑑賞者にはピントが合っていると判断される。以上の理由から許容錯乱円は、画素ピッチに基づいて決められるのが好ましい。
【００４７】
図４（ｂ）に示す画素ピッチ１６３−２は、図４（ａ）に示す画素ピッチ１６３−１に比べて大きい。この画素ピッチに基づいて許容錯乱円が決まることから、許容錯乱円は、カメラボディ１２０−１よりもカメラボディ１２０−２の方が大きい。
【００４８】
画素ピッチ１６３と許容錯乱円１６４とは、許容錯乱円中に２×２個の画素が含まれる関係になっている。ここで２×２個という数字は１つの例である。人間の目にピントが合っていると判断できるときの許容錯乱円中の画素の数は、必ずしもこの数でなくてもよい。より厳密に１×１個としてもよいし、わずかな点像の広がりを許して３×３個と設定しても構わない。ただし、撮像装置としての統一性を保つために、１つの撮像装置でカメラボディごとに数字を変えることは好ましくない。
【００４９】
本実施形態では、許容錯乱円の大きさは画素を２×２個含むものとして、撮像装置を設定している。この許容錯乱円から被写界深度が決定される。一般的には、図８に示す光線図で説明される。
【００５０】
図８において、レンズにより予定結像面と共役になる位置が物体面である。物体面上の点光源からの光は結像面上では点像を結ぶ。
【００５１】
しかしながら、実際には点ではなく許容錯乱円径以下の円像であれば、人間にはピントが合っているように見えるのは、前述のとおりである。点光源が、この許容錯乱円径以下の円像を結ぶ、物体面とその無限側と至近側を含んだ一定の領域が被写界深度となる。この被写界深度内の被写体はピントが合っているとみなすことができる。
【００５２】
許容錯乱円が点像に近い時は、物体面上の被写体しかピントが合っているとみなせないが、許容錯乱円径が大きければ大きいほど被写界深度は深くなり、その領域にある被写体にはピントが合っているとみなすことができる。
【００５３】
上記理由により、許容錯乱円の小さいカメラボディ１２０−１との組み合わせより、許容錯乱円の大きいカメラボディ１２０−２との組み合わせの方が、被写界深度が深くなる。
【００５４】
レンズ鏡筒１００のレンズシステム制御部１０５は、電気接点１１０を介してカメラシステム制御部１２３よりカメラボディ１２０の許容錯乱円情報を取得することで、被写界深度の表示を表示画面１０６−１と表示画面１０６−２のように切り替えて表示する。
【００５５】
次に、レンズ鏡筒１００のレンズ表示部１０６における被写界深度表示の切り替えの具体例を図５（ａ）、図５（ｂ）、図６（ａ）を用いて説明する。
【００５６】
まず、カメラボディ１２０の撮像素子１２１の画素ピッチが単純に異なる場合の被写界深度表示の切り替えを図５（ａ）に示す。
【００５７】
図５（ａ）において、撮像素子１２１−２は、撮像素子１２１−１に比べて画素ピッチが大きく許容錯乱円も大きい。そのため、許容錯乱円の大きさに比例して、レンズ表示部１０６に表示される被写界深度の幅が広がり、１４６−１から１４６−２へと切り替わっている。
【００５８】
次に、撮像素子における記録画像用の最小となる画素が異なる場合の被写界深度表示の切り替えを図５（ｂ）に示す。
【００５９】
図５（ｂ）において、撮像素子１２１−１では、上述と同様に、画素１６２を１つの単位としている。一方、撮像素子１２１−３では、４つの画素１６２をまとめた画素１６５を１つの単位としている。これは、撮像素子の最小単位の画素を単純に記録画像用の画素とするのではなく、複数の画素を記録画像用の画素としているためである。このような場合、撮像素子１２１−３のみかけの画素ピッチは１６３−３となり、それに比例してみかけの許容錯乱円も大きくなり、１６４−３となる。そのため、レンズ表示部１０６の表示画面１０６−３では被写界深度の幅が広がり、被写界深度１４６−１が１４６−３へと切り替わっている。
【００６０】
次に、撮像素子における記録画像用の画素の抜き出し方が異なる場合の被写界深度表示の切り替えを図６（ａ）に示す。
【００６１】
図６（ａ）において、撮像素子１２１−１では、上述と同様に、２×２の隣り合う画素を記録画像用の画素としている。一方、撮像素子１２１−４では、隣り合う画素ではなく、図示のように画素を１つ飛ばしにした複数の画素を記録画像用の画素としている。このような場合、撮像素子１２１−４のみかけの画素ピッチは１６３−４となり、それに比例してみかけの許容錯乱円も大きくなり、１６４−４となる。そのため、レンズ表示部１０６の表示画面１０６−４では被写界深度の幅は広がり、被写界深度１４６−１が１４６−４へと切り替わっている。
【００６２】
図５（ｂ）、図６（ａ）を用いて説明したみかけの画素ピッチの変化は、撮像装置にて扱われる記録画像のフォーマットによるものである。
【００６３】
一般的なデジタルカメラでは、静止画の撮影と動画の撮影が可能であるが、静止画と動画では画像フォーマットが異なり、同じ撮像素子であっても記録画素数が異なる。そのため、みかけの許容錯乱円は異なってくる。
【００６４】
また、静止画だけでも様々なフォーマットがあり、カメラボディ側の画像解像度の設定変更により、フォーマットの変更が可能となっている。言い換えると、記録画像のフォーマットが変更されて画像解像度が設定変更された場合、図５（ｂ）に示した画素の加算や図６（ａ）に示した画素の間引き等を含む様々な方法により記録画素数が変更される。本実施形態では、いずれの場合においても、撮像素子のサイズと撮影時の設定に応じた記録画素数から、みかけの許容錯乱円を算出し、それに応じた被写界深度を表示する。
【００６５】
静止画と同様に、動画も様々なフォーマットが存在する。例えば、ｗｅｂ上へのアップロードを目的とした画素数が少なくデータ容量の軽いフォーマットや、高解像度の動画フォーマットなどがある。本実施形態では、いずれの場合においても、撮像素子のサイズと撮影時の設定に応じた記録画素数から、みかけの許容錯乱円を算出し、それに応じた被写界深度を表示する。
【００６６】
図１に示す撮像装置では、撮影者がカメラボディ１２０側のカメラ表示部１２６に表示されるプレビュー画像を確認しながら構図を決め、その後に本撮影を行う。このような撮影スタイルでは、プレビュー画像にリアルタイム性が求められることから、処理の負荷を軽減する目的で、図６（ａ）で説明したような間引き画素によるプレビュー画像の表示が行われることがある。この場合、画角の決定後に本撮影され記録される記録画像の許容錯乱円とプレビュー画像の許容錯乱円が異なる場合があり、プレビュー画像の許容錯乱円を考慮する必要がある。具体的には、撮影者がカメラ表示部１２６の表示画像からピントが合っていると判断して撮影した場合、記録された画像を表示装置上で確認したときに、ピントが合っていないという問題が発生する。そこで、本実施形態では、カメラ表示部１２６に表示されているプレビュー画像と、記録画像の被写界深度が異なる場合に、撮影者に注意を促す警告表示を行う。レンズ表示部１０６に表示された警告表示の一例を図６（ｂ）に示す。
【００６７】
図６（ｂ）では、レンズ表示部１０６に警告表示１４５が表示されている。なお、カメラ表示部１２６上で警告表示を行うように構成してもよい。この場合、レンズ鏡筒１００からカメラボディ１２０へと警告表示に関する信号が送信される。
【００６８】
図７は、レンズシステム制御部１０５のレンズ表示部１０６における被写界深度の表示制御を示すフローチャートである。本処理は、レンズ鏡筒１００が装着されたカメラボディ１２０の電源が入れられた後から、電源が切られて表示が消えるまでの動作を示している。また、本処理は、レンズシステム制御部１０５により実現されるものである。
【００６９】
まず、ステップＳ１０１では、レンズシステム制御部１０５は、レンズ鏡筒１００が装着されたカメラボディ１２０から許容錯乱円情報と記録画像のフォーマットの取得を行う。
【００７０】
次に、ステップＳ１０２では、レンズシステム制御部１０５は、取得した許容錯乱円情報と記録画像のフォーマット、および撮影光学系の情報を用いて初期表示の被写体距離と被写界深度を算出する。なお、被写体距離は、レンズシステム制御部１０５から指示された被写体距離判定部１０５ａが上述した（式１）により算出する。被写界深度は、レンズシステム制御部１０５から指示された被写界深度判定部１０５ｂが上述した（式２）により算出する。算出された被写体距離および被写界深度は、レンズシステム制御部１０５から指示された表示制御部１０５ｄによりレンズ表示部１０６に表示される。
【００７１】
ステップＳ１０３では、レンズシステム制御部１０５は、カメラボディ１２０のカメラ表示部１２６における表示画像のフォーマットを取得する。そして、許容錯乱円比較部１０５ｃに指示し、既に取得した記録画像のフォーマットから得られる許容錯乱円と表示画像のフォーマットから得られる許容錯乱円とを比較して差異がないか判定する。なお、許容錯乱円比較部１０５ｃは、表示画像のフォーマットから得られる被写界深度と記録画像のフォーマットから得られる被写界深度と比較して差異がないか判定してもよい。
【００７２】
ステップＳ１０３の判定の結果、差異がある場合には、ステップＳ１０４へと進む。一方、差異がない場合には、ステップＳ１０５へ進む。
【００７３】
ステップＳ１０４では、レンズシステム制御部１０５は、表示制御部１０５ｄに指示して図６（ｂ）に示す警告表示を行わせる。なお、カメラボディ側に指示してカメラ表示部１２６に警告表示を行わせるように構成してもよい。
【００７４】
ステップＳ１０５では、レンズシステム制御部１０５は、レンズ鏡筒１００のレンズ操作部１０７への操作待ちを行う。ここでレンズシステム制御部１０５は、レンズ操作部１０７への操作で変更された焦点距離（ズームレンズ位置の変化に伴って変化する）およびフォーカスレンズ位置の変化を検出し、被写体距離および被写界深度の表示情報をそれぞれ更新する。
【００７５】
ステップＳ１０６では、レンズシステム制御部１０５は、撮影設定の切り替え待ちを行う。なお、レンズシステム制御部１０５は、カメラ操作部１２７への操作による記録フォーマットの切替やカメラ表示部１２６の表示設定の切替（※１）が起きた場合、カメラボディ１２０からの記録フォーマットの再取得や、警告表示を行うかどうかの判断を再度行う。※１：表示を拡大するなどして間引き割合が変化する切り替え等を含む。
【００７６】
ステップＳ１０７では、レンズシステム制御部１０５は、ステップＳ１０５およびＳ１０６にて表示情報が更新された場合には、更新された表示情報をレンズ表示部１０６へ送信して表示を更新する。
【００７７】
ステップＳ１０８では、レンズシステム制御部１０５は、カメラボディ１２０の電源のＯＦＦやカメラボディ１２０を外されるなどの終了条件と一致するか否か判定する。終了条件と一致する場合は、本処理を終了する。一方、終了条件と一致しない場合には、ステップＳ１０５でのレンズ操作待ちやステップＳ１０６での撮影設定の切り替え待ちを継続する。
【００７８】
上記実施形態によれば、検出されたフォーカスレンズの位置を用いて撮影光学系の被写体距離を算出し、カメラボディの許容錯乱円情報と撮影光学系の光学情報とを用いて被写界深度を算出する。そして、算出された被写体距離と算出された被写界深度を合わせて表示する。これにより、レンズ交換可能な撮像装置のレンズ鏡筒の表示において、カメラの許容錯乱円に応じた適切な被写界深度の表示を行い、使用者の利便性を向上させることが出来る。
【００７９】
上記実施形態では、図７に示す処理をレンズ鏡筒側で行っているが、カメラボディ側で実行してレンズ鏡筒で表示するように構成してもよいし、カメラボディ側で表示を行うように構成してもよい。
【００８０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８１】
１００  レンズ鏡筒
１０１  撮影光学系
１０３  レンズ位置検出部
１０５ａ  被写体距離判定部
１０５ｂ  被写界深度判定部
１０５ｃ  許容錯乱円比較部
１０６  レンズ表示部
１２０  カメラボディ
１２６  カメラ表示部
【図１】
2016045350.tif 000005
【図２】
2016045350.tif 000006
【図３】
2016045350.tif 000007
【図４】
2016045350.tif 000008
【図５】
2016045350.tif 000009
【図６】
2016045350.tif 000010
【図７】
2016045350.tif 000011
【図８】
2016045350.tif 000012